(57)【特許請求の範囲】
【請求項１】
清浄空間２の内部乃至その周囲部に配設される飛翔性昆虫駆除装置Ａと、清浄空間２の内部に配設される殺菌装置Ｂと、清浄空間２の入口３に設けられる手指洗浄区域４に配設される手指洗浄用機器Ｃと、清浄空間２の入口３に設けられたドア５及び／又はシャッターの開閉を検知する開閉検知手段Ｄと、上記飛翔性昆虫駆除装置Ａに個別に電気的に接続されて上記飛翔性昆虫駆除装置Ａの作動状況及び捕獲した飛翔性昆虫の数の監視データを検出する監視データ検出手段７ａと、上記殺菌装置Ｂに個別に電気的に接続されて上記殺菌装置Ｂの作動状況の監視データを検出する監視データ検出手段７ｂと、上記手指洗浄用機器Ｃに個別に電気的に接続されて上記手指洗浄用機器Ｃの作動状況の監視データを検出する監視データ検出手段７ｃと、上記開閉検知手段Ｄに個別に電気的に接続されて上記開閉検知手段Ｄによる上記ドア５及び／又はシャッターの開閉時間の監視データを検出する監視データ検出手段７ｄと、各監視データ検出手段７ａ，７ｂ，７ｃ，７ｄの夫々に接続される複数のデータ転送手段８と、監視データを上記飛翔性昆虫駆除装置Ａ・上記殺菌装置Ｂ・上記手指洗浄用機器Ｃ・上記開閉検知手段Ｄ毎に編集する編集回路を有する監視データ編集手段９と、該監視データ編集手段９にて編集されたデータを記録・表示可能な監視手段10と、を備え、上記監視データ編集手段９に、複数の上記データ転送手段８を直列接続して、複数の上記監視データ検出手段７ａ，７ｂ，７ｃ，７ｄからの監視データを上記監視データ編集手段９に送信可能に構成したことを特徴とする清浄空間管理システム。
【請求項２】
清浄空間２の内部乃至その周囲部に配設される飛翔性昆虫駆除装置Ａと、清浄空間２の内部に配設される殺菌装置Ｂと、清浄空間２の入口３に設けられる手指洗浄区域４に配設される手指洗浄用機器Ｃと、清浄空間２の入口３に設けられたドア５及び／又はシャッターの開閉を検知する開閉検知手段Ｄと、清浄空間２内の通路６及び／又は清浄空間２への通路６に設けられて人の通過を検知する動線通過検知手段Ｅと、上記飛翔性昆虫駆除装置Ａに個別に電気的に接続されて上記飛翔性昆虫駆除装置Ａの作動状況及び捕獲した飛翔性昆虫の数の監視データを検出する監視データ検出手段７ａと、上記殺菌装置Ｂに個別に電気的に接続されて上記殺菌装置Ｂの作動状況の監視データを検出する監視データ検出手段７ｂと、上記手指洗浄用機器Ｃに個別に電気的に接続されて上記手指洗浄用機器Ｃの作動状況の監視データを検出する監視データ検出手段７ｃと、上記開閉検知手段Ｄに個別に電気的に接続されて上記開閉検知手段Ｄによる上記ドア５及び／又はシャッターの開閉時間の監視データを検出する監視データ検出手段７ｄと、上記動線通過検知手段Ｅに個別に電気的に接続されて上記動線通過検知手段Ｅによる上記清浄空間２に出入りした人員の人数及び出入りした時間の監視データを検出する監視データ検出手段７ｅと、各監視データ検出手段７ａ，７ｂ，７ｃ，７ｄ，７ｅの夫々に接続される複数のデータ転送手段８と、監視データを上記飛翔性昆虫駆除装置Ａ・上記殺菌装置Ｂ・上記手指洗浄用機器Ｃ・上記開閉検知手段Ｄ・上記動線通過検知手段Ｅ毎に編集する編集回路を有する監視データ編集手段９と、該監視データ編集手段９にて編集されたデータを記録・表示可能な監視手段10と、を備え、上記監視データ編集手段９に、複数の上記データ転送手段８を直列接続して、複数の上記監視データ検出手段７ａ，７ｂ，７ｃ，７ｄ，７ｅからの監視データを上記監視データ編集手段９に送信可能に構成したことを特徴とする清浄空間管理システム。
【発明の詳細な説明】
【０００１】
【発明の属する技術分野】
本発明は、清浄空間管理システムに関する。
【０００２】
【従来の技術】
食品、精密、医薬、製紙等の工場や倉庫等に於て、昆虫、微生物、塵埃等が入らないように管理すべき空間（以下これを清浄空間という場合がある）が設けられている場合がある。
【０００３】
従来、そのような清浄空間への人の出入りや昆虫、微生物、塵埃等の侵入を防止する機器の作動状況等を一括管理するシステムは無かった。
【０００４】
【発明が解決しようとする課題】
このため、従来は、清浄空間に設けられた全ての機器の作動状況を把握するには時間がかかり、リアルタイムでの全体の管理は不可能であった。さらに、管理用のデータが不足したり、データが不正確となってしまい、清浄空間を清潔に維持することは極めて困難であった。
【０００５】
そこで、本発明は、上述の問題を解決し、清浄空間を清潔に維持するための複数の機器の作動状況等の監視データをリアルタイムで一括管理することができ、清浄空間を清潔に維持することが可能な清浄空間管理システムを提供することを目的とする。
【０００６】
【課題を解決するための手段】
上述の目的を達成するために、本発明に係る清浄空間管理システムは、清浄空間の内部乃至その周囲部に配設される飛翔性昆虫駆除装置と、清浄空間の内部に配設される殺菌装置と、清浄空間の入口に設けられる手指洗浄区域に配設される手指洗浄用機器と、清浄空間の入口に設けられたドア及び／又はシャッターの開閉を検知する開閉検知手段と、上記飛翔性昆虫駆除装置に個別に電気的に接続されて上記飛翔性昆虫駆除装置の作動状況及び捕獲した飛翔性昆虫の数の監視データを検出する監視データ検出手段と、上記殺菌装置に個別に電気的に接続されて上記殺菌装置の作動状況の監視データを検出する監視データ検出手段と、上記手指洗浄用機器に個別に電気的に接続されて上記手指洗浄用機器の作動状況の監視データを検出する監視データ検出手段と、上記開閉検知手段に個別に電気的に接続されて上記開閉検知手段Ｄによる上記ドア及び／又はシャッターの開閉時間の監視データを検出する監視データ検出手段と、各監視データ検出手段の夫々に接続される複数のデータ転送手段と、監視データを上記飛翔性昆虫駆除装置・上記殺菌装置・上記手指洗浄用機器・上記開閉検知手段毎に編集する編集回路を有する監視データ編集手段と、該監視データ編集手段にて編集されたデータを記録・表示可能な監視手段と、を備え、上記監視データ編集手段に、複数の上記データ転送手段を直列接続して、複数の上記監視データ検出手段からの監視データを上記監視データ編集手段に送信可能に構成したものである。
【０００７】
また、清浄空間の内部乃至その周囲部に配設される飛翔性昆虫駆除装置と、清浄空間の内部に配設される殺菌装置と、清浄空間の入口に設けられる手指洗浄区域に配設される手指洗浄用機器と、清浄空間の入口に設けられたドア及び／又はシャッターの開閉を検知する開閉検知手段と、清浄空間内の通路及び／又は清浄空間への通路に設けられて人の通過を検知する動線通過検知手段と、上記飛翔性昆虫駆除装置に個別に電気的に接続されて上記飛翔性昆虫駆除装置の作動状況及び捕獲した飛翔性昆虫の数の監視データを検出する監視データ検出手段と、上記殺菌装置に個別に電気的に接続されて上記殺菌装置の作動状況の監視データを検出する監視データ検出手段と、上記手指洗浄用機器に個別に電気的に接続されて上記手指洗浄用機器の作動状況の監視データを検出する監視データ検出手段と、上記開閉検知手段に個別に電気的に接続されて上記開閉検知手段による上記ドア及び／又はシャッターの開閉時間の監視データを検出する監視データ検出手段と、上記動線通過検知手段に個別に電気的に接続されて上記動線通過検知手段による上記清浄空間に出入りした人員の人数及び出入りした時間の監視データを検出する監視データ検出手段と、各監視データ検出手段の夫々に接続される複数のデータ転送手段と、監視データを上記飛翔性昆虫駆除装置・上記殺菌装置・上記手指洗浄用機器・上記開閉検知手段・上記動線通過検知手段毎に編集する編集回路を有する監視データ編集手段と、該監視データ編集手段にて編集されたデータを記録・表示可能な監視手段と、を備え、上記監視データ編集手段に、複数の上記データ転送手段を直列接続して、複数の上記監視データ検出手段からの監視データを上記監視データ編集手段に送信可能に構成したものである。
【０００８】
【発明の実施の形態】
以下、実施の形態を示す図面に基づき、本発明を詳説する。
【０００９】
図２に於て、１は食品、精密、医薬、製紙等の工場や倉庫等における清潔に維持すべき部屋であり、２はその部屋１の内部───即ち清浄空間───である。この清浄空間２の窓Ｗの外側（清浄空間２の周囲部）には、飛翔性昆虫駆除装置Ａが配設される。さらに、清浄空間２の内部に殺菌装置Ｂを配設する。また、清浄空間２の入口３（この場合は出入口）に手指洗浄区域４が設けられ、その手指洗浄区域４に手指洗浄用機器Ｃ…を配設し、かつ、入口３に設けられたドア５にそのドア５の開閉を検出する開閉検知手段Ｄを付設する。さらに、清浄空間２への通路６に人の通過を検知する動線通過検知手段Ｅを設ける。
【００１０】
しかして、図１に示すように、本発明に係る清浄空間管理システムは、清浄空間２内及びその周辺に設けられた上述のような各種装置、機器等の作動状況や監視データ等を一括管理して清浄空間２を清潔に維持するためのシステムであり、飛翔性昆虫駆除装置Ａと、殺菌装置Ｂと、手指洗浄用機器Ｃと、開閉検知手段Ｄと、動線通過検知手段Ｅと、その飛翔性昆虫駆除装置Ａと殺菌装置Ｂと手指洗浄用機器Ｃと開閉検知手段Ｄと動線通過検知手段Ｅとに個別に電気的に接続される監視データ検出手段７…と、各監視データ検出手段７…に接続されるデータ転送手段８…と、監視データ編集手段９と、その監視データ編集手段９にて編集されたデータを記録・表示可能な監視手段10と、を備えている。
【００１１】
さらに、監視データ編集手段９に、データ転送手段８…を、監視データ転送用配線Ｊと図示省略のアース線との合計２本の配線にて、直列接続して、複数の監視データ検出手段７…からの監視データを監視データ編集手段９に送信可能に構成する。監視データ編集手段９は、監視データを、飛翔性昆虫駆除装置Ａ、殺菌装置Ｂ、手指洗浄用機器Ｃ、開閉検知手段Ｄ、動線通過検知手段Ｅ毎に編集する編集回路と、その編集したデータを記憶する記憶回路等を有する。
【００１２】
また、監視手段10として、清浄空間２が設けられた建物内に設置されると共に内部通信配線Ｋを介して監視データ編集手段９に接続される内部監視手段10ａと、遠隔地のオフィス等に設置されると共に電話回線等の外部通信回線Ｌを介して監視データ編集手段９に接続される外部監視手段10ｂとが、設けられる。
【００１３】
その内部監視手段10ａと外部監視手段10ｂは、夫々、通信回路、データ処理回路、データ記憶手段、表示手段、記録手段等を有する。具体的には、内部監視手段10ａと外部監視手段10ｂは、パーソナルコンピュータ等のコンピュータ、ディスプレイ、プリンター、その他の周辺機器等にて構成される。
【００１４】
また、図３の（イ）（ロ）に示すように、データ転送手段８は、制御部11（シフトレジスタ）と、監視データ転送用配線Ｊ及び図外の監視データ検出手段７に接続されるスイッチ部12と、を有し、図３の（イ）の如く、データ転送用配線Ｊを介して図外の監視データ編集手段９へ開閉データを送信可能であってかつ下位Ｎ側からの監視データの通過を阻止するオン状態と、図３の（ロ）の如く、下位Ｎ側から上位Ｍ側の監視データ編集手段９へと監視データが通過可能なオフ状態とに、切換え可能なスイッチ回路として構成される。そして、各データ転送手段８毎に、固有のアドレスが設定され、スイッチ部12が、上位Ｍから下位Ｎへと順に、所定時間ずつオン状態に切換えられるように構成する。
【００１５】
次に、図４に示すように、飛翔性昆虫駆除装置Ａは、フレーム13と、そのフレーム13に取付けられる補虫ランプ14と、補虫ランプ14の近傍に上下所定ピッチにて櫛状に配設される複数の水平棒状電極15ａ，15ｂと、その電極15ａ，15ｂの下方に配設されると共に一端部に漏斗状の落し口17が設けられた受け皿16と、落し口17の下方に設けられた補虫室21に交換可能に収納される補虫袋18と、受け皿16の上面に沿って往復動するブラシ19を有する清掃ブラシ機構20と、補虫室21の側方に配設される吸引ブロア22と、を備える。
【００１６】
電極15ａ，15ｂは、昇圧トランスを介して高圧電源が供給される。また、受け皿16の他端部下方に、電極15ａ，15ｂの放電回数を検出して計数する計数部23と、その計数部23によるカウント値を表示する表示部24と、を設ける。また、受け皿16の他端部近傍にモータ25が配設され、その回転軸にプーリ26ａが固着されると共に、受け皿16の一端部近傍にもプーリ26ｂが回転自在に設けられ、その一対のプーリ26ａ，26ｂの間にワイヤ27が懸架される。
【００１７】
清掃ブラシ機構20は、ワイヤ27に係止され、モータ25の回転方向を切換えることにより、ブラシ19が上方揺動状態のまま落し口17から離れる方向への移動と、ブラシ19が下方へ揺動して受け皿16上面に摺動しつつ落し口17へ接近する移動と、に切換え可能とされる。
【００１８】
この飛翔性昆虫駆除装置Ａの作動時には、飛翔性昆虫が補虫ランプ14に集まり、補虫ランプ14の廻りを飛んでいるうちに電極15ａ，15ｂに接近あるいは接触して火花放電による電撃を受けて受け皿16上に落下する。その放電回数を計数部23が計数して、予め設定されたカウント値に達すると、清掃ブラシ機構20が作動して、昆虫の死骸が補虫袋18内に落し込まれる。
【００１９】
しかして、飛翔性昆虫駆除装置Ａに接続される監視データ検出手段７ａ（図１参照）は、放電回数を検出するように構成される。具体的には、監視データ検出手段７ａは、装置Ａの計数部23のカウント値を取込むカウント値取込回路（図示せず）と、そのカウント値をデジタル信号に変換する回路（図示せず）と、を備える。なお、検出手段７ａに、飛翔性昆虫駆除装置Ａの電源のオンオフを電源電流流通線近傍に配設されるコイルにて誘導電流として検出するオンオフ検出回路をさらに設けて、装置Ａが作動しているか否かの監視データを検出するように構成してもよい。
【００２０】
次に、図５に示すように、殺菌装置Ｂは、ケーシング28と、ケーシング28内に配設される紫外線ランプ29と、オゾン発生用ランプ36と、電子集塵部30と、殺菌剤を外部空中へ霧状に噴出する薬品噴霧手段31と、オゾン発生用ランプ36と薬品噴霧手段31との作動時間を制御する制御手段43と、ケーシング28の吸気口32に設けられる除塵フィルター33と、図示省略のフィルター自動更新手段と、ケーシング28の排気口34近傍に設けられる通気用ファン35と、を備える。
【００２１】
さらに、ケーシング28内に設けられた区画壁37の前面に、紫外線ランプ29と、オゾン発生用ランプ36の光を反射するためのミラー等の光反射部材38が、貼設される。薬品噴霧手段31は、ケーシング28の前面に設けられたノズル部39と、薬品収納タンク40と、そのタンク40内の薬品をノズル部39に送るポンプ41と、図示省略のコンプレッサーと、を備える。
【００２２】
この殺菌装置Ｂを作動させると、通気用ファン35と紫外線ランプ29と電子集塵部30が作動し、ケーシング28の外部の空気を吸入し、除塵フィルター33及び電子集塵部30にて除塵された空気が流路42を通過する。このとき、空気中の浮遊菌が紫外線ランプ29からの紫外線にて殺菌される。そして、除塵・殺菌されたきれいな空気が排気口34から外部へ放出される（即ち清浄空間２へ放出される）。なお、殺菌装置Ｂの延べ運転時間が所定時間に達すると、フィルター自動更新手段にて除塵フィルター33が所定長さだけ送られて新しくされる。
【００２３】
また、制御手段43にて、オゾン発生用ランプ36と薬品噴霧手段31が、予め設定された作動パターンに基いて夫々間欠的に作動し、清浄空間２へ殺菌剤（薬品）とそれを希釈した水の分子Ｈ2 ＯとオゾンＯ3 が放出される。その水分子Ｈ2 ＯにオゾンＯ3 が接することにより、Ｏ、ＨＯ2 、ＯＨ- 、Ｈ2 Ｏ2 の４種類の活性酸素が発生し、その活性酸素と殺菌剤との相乗効果により清浄空間２の浮遊菌を強力に殺菌できる。なお、殺菌剤としては、アルデヒド系殺菌剤、両性界面活性剤、カチオン系殺菌剤、グアニジン系殺菌剤、アルコール系殺菌剤、及び、微生物酵素系殺菌剤等が挙げられる。
【００２４】
しかして、この殺菌装置Ｂに接続される監視データ検出手段７ｂ（図１参照）は、紫外線ランプ29とオゾン発生用ランプ36と薬品噴霧手段31との夫々の作動・停止状況を検出する作動・停止検出回路（図示せず）と、検出した作動・停止状況の信号をデジタル信号に変換する回路（図示せず）と、を備える。その場合、例えば、紫外線ランプ29のスイッチ回路とオゾン発生用ランプ36のスイッチ回路に作動・停止検出回路を接続し、かつ、薬品噴霧手段31のポンプのモータの電源電流流通線近傍に通電を誘導電流として検出するコイルを配設して、薬品噴霧手段31の作動を検出するように構成すればよい。なお、検出手段７ｂに、殺菌装置Ｂの電源のオンオフを電源電流流通線近傍に配設されるコイルにて誘導電流として検出するオンオフ検出回路をさらに設けて、殺菌装置Ｂが作動しているか否かの監視データを検出するように構成してもよい。
【００２５】
次に、図６と図７に示すように、手指清浄用機器Ｃ…として、手洗機Ｃ1 と、乾燥機Ｃ2 と、手指消毒機Ｃ3 とが、手指洗浄区域４に配設される。その手洗機Ｃ1 と乾燥機Ｃ2 と手指消毒機Ｃ3 は、夫々、電気にて作動するように構成される。そして、監視データ検出手段７ｃに、手指清浄用機器Ｃ（Ｃ1 ，Ｃ2 ，Ｃ3 ）の夫々の電源のオンオフを電源電流流通線近傍に配設されるコイルにて誘導電流として検出するオンオフ検出回路を設けて、手指清浄用機器Ｃ…が作動しているか否かの監視データを検出するように構成する。
【００２６】
また、手指洗浄区域４と清浄空間２との間に設けられたドア５は、センサー44にて人を感知して開く自動ドアとされ、ドア開閉制御手段45にて開閉制御される。そのドア開閉制御手段45は、手指消毒機Ｃ3 と非常スイッチ46と、センサー44と、スイッチ回路47と、ドア５を開閉駆動させるシリンダ48と、スイッチ回路47に接続されると共にシリンダ48の作動を制御する電磁弁49と、を備え、スイッチ回路47に手指消毒機Ｃ3 からの作動終了信号とセンサー44からの検知信号の両方が送られたときに電磁弁49が作動してドア５が開くように回路構成される。その他の通常状態では、ドア５は開かない。
【００２７】
さらに、上記ドア５の開閉を検知する開閉検知手段Ｄを設ける。その開閉検知手段Ｄは、例えば、スイッチ回路47の一部として構成される。そして、この開閉検知手段Ｄに監視データ検出手段７ｄを、接続して、ドア５が開いているか否かの監視データを検出するように構成する。なお、モータとギヤ等から成る開閉機構にてドア５を開閉するように構成させてもよく、その場合、モータの電源電流流通線近傍に誘導電流としてオン状態を検知する開閉検知手段Ｄを、設ければよい。
【００２８】
次に、図８の（イ）（ロ）に示すように、通路６の人の通過を検知する動線通過検知手段Ｅは、通路６の一方の壁面に前後離間して配設される受光センサー51ａ，51ｂと、通路６の他方の壁面に前後離間して配設されると共に受光センサー51ａ，51ｂに向けて夫々指向性のある光52, 52を常時照射する発光器53ａ，53ｂと、受光センサー51ａ，51ｂから信号を受けて人が通過したか否かを検出すると共に通過したときの方向が清浄空間２へ入る方向か出る方向かを判定して、その検出したデータを監視データ検出手段７ｅに送る判定回路54と、を備える。
【００２９】
しかして、図８の（イ）に示す矢印Ｈ方向に人が進むと、最初に外側の受光センサー51ｂの受光が遮られて検知信号が判定回路54に送られ、次に内側の受光センサー51ａの受光が遮られて検知信号が判定回路54に送られる。その検知信号の時間差により判定回路54は、人が手指洗浄区域４へ（清浄空間２へ）進んだと判断し、その判断結果を監視データ検出手段７ｅへ送る。
【００３０】
また、図８の（ロ）に示す矢印Ｉ方向に人が進むと、最初に内側の受光センサー51ａの受光が遮られて検知信号が判定回路54に送られ、次に外側の受光センサー51ｂの受光が遮られて検知信号が判定回路54に送られる。その検知信号の時間差により判定回路54は、人が外に出る方向へ進んだと判断し、その判断結果を監視データ検出手段７ｅへ送る。なお、受光センサー51ａ，51ｂを超音波センサーに置換し、かつ、発光器53ａ，53ｂを、超音波発生器に置換してもよい。
【００３１】
上述のように構成したことにより、この清浄空間管理システムによれば、監視データ検出手段７…にて検出した監視データを、清浄空間２が設けられた建物内に設置された内部監視手段10ａと、遠隔地のオフィス等に設置された外部監視手段10ｂの両方にて、リアルタイムで一括管理（一括監視）することができる。即ち、飛翔性昆虫駆除装置Ａの作動状況及び捕獲した飛翔性昆虫の数、殺菌装置Ｂの作動状況（紫外線ランプ29、オゾン発生用ランプ36、薬品噴霧手段31の個別の作動時間）、手指洗浄用機器Ｃの作動状況、開閉検知手段Ｄによるドア５の開閉時間、及び、動線通過検知手段Ｅによる清浄空間２に出入りした人員の人数及び出入りした時間等を、リアルタイムで更新しつつモニタリングできる。
【００３２】
また、監視データを記憶媒体に記憶させることができる。しかも、その監視データをコンピュータソフトを用いて種々の目的に応じて容易に数値化、図表化、グラフ化できる。従って、少人数の衛生管理担当者にて清浄空間２を容易にかつ厳重に管理できる。かつ、異常発生時の原因分析、対策立案を的確に行うことができる。これにより、清浄空間２の、防虫、防菌、手洗い管理、出入口管理、動線管理等を、厳重にかつ確実に行うことができ、清浄空間２の汚染を未然に防ぐことができる。従って、清浄空間２を従来よりも高精度にきれいに維持できる。つまり容易に総合衛生管理を行うことができると共に高精度にクリーンルーム化できる。
【００３３】
なお、図２に示すように、清浄空間２内に清浄空間監視用センサー類Ｇ…を配設すると共に、図１に示すように、上記飛翔性昆虫駆除装置Ａ、殺菌装置Ｂ、手指洗浄用機器Ｃ、開閉検知手段Ｄ、及び、動線通過検知手段Ｅに、さらに、清浄空間監視用センサー類Ｇ…を、直列接続するも好ましい。
【００３４】
その清浄空間監視用センサー類Ｇとしては、例えば、ゴキブリ検知用のローチセンサー、鼠検出用のラットセンサー、温度センサー、湿度センサー、オゾンセンサー、室圧（差圧）センサー、塵埃センサー、清浄度センサー等が挙げられる。
【００３５】
また、データ転送手段８…の一部又は全部に、ブザー、音声による警告装置、パトライト等の警告手段（図示せず）を接続すると共に、監視手段10にて監視データ編集手段９とデータ転送手段８…を介して警告手段を遠隔作動可能に構成するも好ましい。そのようにすれば、監視データに異常を発見した場合、監視手段10側から、直ちに警告手段を作動させて清浄空間２に警告を発することができる。
【００３６】
また、飛翔性昆虫駆除装置Ａ、殺菌装置Ｂ、手指洗浄用機器Ｃ、開閉検知手段Ｄ、及び、動線通過検知手段Ｅ、清浄空間監視用センサー類Ｇの設置数の増減変更や設置場所の変更は自由である（図２参照）。また、ドア５は、自動ドアのみならず手動にて開閉するドアであってもよく、あるいは、ドア５の代わりにシャッターを設けてもよい。その場合、手動ドアやシャッターに対応した開閉検知手段Ｄを設ければよい。また、清浄空間２内に通路が設けられている場合は、その通路に動線通過検知手段Ｅを設ればよい。
【００３７】
【発明の効果】
本発明は上述の如く構成されるので、次に記載する効果を奏する。
【００３８】
請求項１記載の清浄空間管理システムによれば、飛翔性昆虫駆除装置Ａと殺菌装置Ｂと手指洗浄用機器Ｃと開閉検知手段Ｄとの監視データを監視手段10が設置された場所にてリアルタイムで一括して監視することができる。従って、少人数の衛生管理担当者にて清浄空間２を容易にかつより清潔に維持できる。かつ、異常発生時の原因分析、対策立案をより的確に行うことができる。
【００３９】
請求項２記載の清浄空間管理システムによれば、飛翔性昆虫駆除装置Ａと殺菌装置Ｂと手指洗浄用機器Ｃと開閉検知手段Ｄと動線通過検知手段Ｅとの監視データを監視手段10が設置された場所にてリアルタイムで一括して監視することができる。従って、少人数の衛生管理担当者にて清浄空間２を容易にかつさらに一層清潔に維持できる。かつ、異常発生時の原因分析、対策立案をさらに一層的確に行うことができる。
【図面の簡単な説明】
【図１】  本発明の実施の一形態を示すブロック図である。
【図２】  清浄空間とその周辺部の簡略平面図である。
【図３】  データ転送手段の作用説明図である。
【図４】  飛翔性昆虫駆除装置の断面図である。
【図５】  殺菌装置の断面図である。
【図６】  ドアと手洗用機器の斜視図である。
【図７】  ドアと手洗用機器の簡略ブロック図である。
【図８】  動線通過検知手段の簡略平面図である。
【符号の説明】
２  清浄空間
３  入口
４  手指洗浄区域
５  ドア
６  通路
７  監視データ検出手段
８  データ転送手段
９  監視データ編集手段
10  監視手段
Ａ  飛翔性昆虫駆除装置
Ｂ  殺菌装置
Ｃ  手指洗浄用機器
Ｄ  開閉検知手段
Ｅ  動線通過検知手段
Ｇ  清浄空間監視用センサー類
【図１】
0003810040.tif 000002
【図２】
0003810040.tif 000003
【図３】
0003810040.tif 000004
【図４】
0003810040.tif 000005
【図５】
0003810040.tif 000006
【図６】
0003810040.tif 000007
【図７】
0003810040.tif 000008
【図８】
0003810040.tif 000009